(57)【要約】【課題】  貯蔵タイプの非常時用給水システムにおいて、構造が簡単で無動力でも除菌濾過を可能とした。【解決手段】  貯水タンク部１と、元弁付常時閉止型通気口部２と、エアーボンベを使ったエアー供給部３と、安全弁部４と、フィルターを備えた給水部５、殺菌部６から構成され、貯水タンク部にタンク側壁下部にエアー供給口を設け、エアーボンベの圧力で給水圧力を上昇させて目の細かいフィルターを通すことにより除菌し、タンク貯溜水を飲料水に変えて供給する。【選択図】    図１
2010270512.tif 000002
【特許請求の範囲】
【請求項１】
貯水タンク部と、元弁付常時閉止型通気口部と、エアーボンベを使ったエアー供給部と、安全弁部と、フィルターを備えた給水部から構成され、貯水タンク部に、水道水の給水配管と、タンク側板下部にエアー注入口を設けると共に、外部にエアーボンベを付設し、エアーボンベの高圧空気をタンク内に放出し、タンク貯溜水をフィルターで濾過するための圧力とし、又、タンク頂部に取付けた安全弁で異常圧力を感知し、逃がしてタンクを損傷から守ることを特長とした飲料水を供給する非常時用給水システム。
【請求項２】
タンク内部にフィルターの目詰まりを防止するための殺菌灯を設け、菌がタンク内で繁殖しないようにした請求項１記載の非常時用給水システム。
【請求項３】
エアーボンベ部に手動エアーポンプを付設してなる請求項１記載の非常時用給水システム。
【請求項４】
貯水タンクを地上設置タイプとし、給水部に手動ポンプを付設した請求項１記載の非常時用給水システム。
【発明の詳細な説明】
【技術分野】
【０００１】
本発明は、震災時などの非常時の緊急用の飲料水を確保するための非常時用給水システムに関するものである。
【背景技術】
【０００２】
非常時に使用できる飲料水の確保は、予め貯水タンクに飲料水を確保しておくと良いことは言うまでもない。しかし単に飲料水を貯蔵したとしても、貯蔵期間中に細菌や微生物の繁殖があり、適宜な衛生安全性確保が必要である。
従前からの衛生安全性確保手段として、水道供給管路の途中に貯水タンクを設け、通常の水道供給を行いながら常に新鮮な飲料水を溜めておくという考え方が提案されている。しかし、タンクは埋設される上に６ｋｇ／ｃｍ２程度の圧力が直接加わるため、強い強度が必要で、しかも水道管の出入口が接続されているため、災害時管路が損傷した時にタンク内の貯溜水が流出しないように出入口に非常用遮断弁を設置しなければならない等、非常にコスト高となり、あまり採用が進んでいない。
【先行技術文献】
【特許文献】
【０００３】
【特許文献１】特開平９−２７６４３５号公報
【特許文献２】登録実用新案第３０２２５２７号公報
【特許文献３】特許第２８８７１３７号公報
【発明の概要】
【発明が解決しようとする課題】
【０００４】
貯水タンクに飲料水を貯蔵しておき、非常時に貯溜水を殺菌や濾過して飲料水として使用する手法は、基本的にランニングコストを要しないので、各公共団体では設置し易い非常用施設である。然し濾過手段は、多数の濾過機自体が市販されているが、濾過機自体に駆動源（例えばガソリンエンジン）を備える必要があり、操作の煩雑さは免れない。更にはまた燃料が残存していない場合や、他の動力源（電力等）がない場合等の使用も困難となる。
【０００５】
殺菌処理は使用量を誤ると劇薬にもなる塩素剤を非常時の混乱時に使用する事は非常に危険である。又、殺菌剤添加後の殺菌効果が発揮されるまで攪拌した後、数時間放置する必要がある。濾過装置のみによる場合は、雑菌や大腸菌をカットしようとすると目の細かなフィルターを用いなければならず、濾過するためには高い水圧で押さなければならないため動力が必要となる等の問題があった。
【０００６】
そこで本発明は、単純な設備で非常時の飲料水の確保を実現し、更にその構成によっては、特別な駆動源を備えていなくとも、少なくとも全て人力のみで動作せしめることを可能とした非常時用給水システムを想定したものである。
【課題を解決するための手段】
【０００７】
本発明に係る非常時用給水システムは、貯水タンク部と、元弁付常時閉止型通気口部と、エアーボンベを使ったエアー供給部と、安全弁部と、フィルターを備えた給水部から構成され、貯水タンク部に、水道水の給水配管と、タンク側板下部にエアー注入口を設けると共に、外部にエアーボンベを付設し、エアーボンベの高圧空気をタンク内に放出し、その圧力で貯溜水を目の細かなフィルターで濾過して飲料水を供給することを特徴としたものである。
【０００８】
又、エアーボンベのエアーがなくなっても人力ポンプでエアーを補うこともできる。
【０００９】
また特に貯水タンクを地上設置タイプとし、給水部に手動給水ポンプを付設し、エアーボンベ部に手動エアーポンプを付設しておくと、前述の通り非常時にエアーが無くなっても人力でエアーを補う事が出来る。またエアー漏れがあり、エアーシステムが作動しない場合でも、貯水タンク内の水位が高い場合には、貯溜水自体の水圧で濾過が実施でき、水位が低下した場合には手動給水ポンプで濾過を行うことができ、全て無動力で飲料水の供給が可能となるものである。
【発明の効果】
【００１０】
本発明は、貯水タンク部と、通気口部と、エアー供給部と、安全弁部と、フィルターを備えた給水部から構成され、貯溜水をフィルターで濾過して飲料水を供給する非常時用の給水システムで、貯溜水を簡単に飲料水として使用でき、且つ貯溜水は通常時の防火用水として使用できるものであり、非常時用の給水システムとして、設備が簡単で、しかもランニングコスト低廉となり、更に最低限人力のみで全ての給水動作を行うことができる等の利点を有するものである。
【図面の簡単な説明】
【００１１】
【図１】本発明の実施形態のむ全体の構成を示す説明図。
【発明を実施するための形態】
【実施例】
【００１２】
次に本発明の実施形態について説明する。実施形態に示した非常時用給水システムは、貯水タンク部１と、貯水タンク上部に付設した元弁付常時閉止型通気口部２と、エアー供給部３と、安全部４と、給水部５と、殺菌部６から構成される。
【００１３】
貯水タンク部１は、タンク本体１１と、受水部１２からなり、タンク本体１１は、縦長タンクで、金属板の表裏を樹脂コーティングしたもの又は、ステンレス製で適宜な土台上に設置してある。受水部１２は、水道管と接続して、タンク内の頂部近傍で放水口を備えた供給管１２１からなる。
【００１４】
元弁付常時閉止型通気口部２は、タンク頂部に手動式元弁２２を取付けた通気口２１を取付けてあり、その通気口２１は常時閉止できる構造で、一定以上の圧力が加わったり、減圧されると自動的に開口する構造となっており、タンク内と外気を遮断し菌が外部から持込まれるのを防止している。安全弁部４は、タンク頂部に安全弁４１を取付け加圧用空気が高くなりすぎた場合、タンクが損傷しないように圧力を逃がす作用を持つ。
【００１５】
エアー供給部３は、タンクとは別置きされたエアーボンベ３１に圧力調整器３２、エアー逆市弁３４、エアー三方弁３６を取付け、ホースでタンク側面下部に取付けたエアー供給ノズルにホースで接続し、タンク内にエアーを供給する構造でエアーを供給する前にタンク頂部の通気口元弁２２を閉めてから行う。又、エアーが不足する場合、補うことができるよう手動エアーポンプ３５を併設する。
【００１６】
フィルターを備えた給水部５は、手動給水ポンプ５１と、フィルター５２と、給水配管５３からなり、フィルター５２は、細菌・大腸菌をカットできる目の細かなフィルターを内装して水の濾過を行うもので、タンク本体１１の側板下側の給水取出しノズルとの間に手動ポンプ５１を介してホースで接続すると共に、三方弁５５を介して並列配管して、ポンプ作用無しでも給水を受けることができるようにしてある。また給水配管５３は、フィルター５２の出水側に接続したもので適宜な蛇口５４を取付けてなるものである。
【００１７】
貯水タンク部１に於いて、供給管１２１からタンク内に水道水Ａを供給し、タンク本体１１内を満水状態としておき、適宜な期間毎（例えば６〜１２か月）に清掃したり、水道水Ａの取り替えを行い、飲料原水として適する状態を維持する。そして通常時は防火用水として使用する。
【００１８】
震災発生等の非常事態となり、飲料水を必要とした場合には、タンク頂部の通気口元弁２２を閉め、エアーボンベ３１と、圧力調整器３２、エアー元弁３３、エアー三方弁３６、エアー逆止弁３４がセットになったホースをタンク側板のエアー注入口に接続し加圧の準備をする。次にフィルター５２、手動給水ポンプ５１、三方弁５５がセットされたバイパス配管ユニットをホースでタンク側板下部の給水口に接続し、給水の準備をする。給水が必要になれば、エアーボンベ３１のバルブを開きタンクにエアーを入れて加圧し、加圧が完了すれば給水栓を開いて給水を取出すことができる。取り出した水は、すぐにでも飲むことができる。又、タンクの水位が下がり、水圧が低下してもエアーが圧力を補うため、常に一定量の給水が可能である。エアーが不足した場合は、手動エアーポンプ３５でエアーを補うこともできるし、エアー漏れがあってエアーでの給水システムが作動しなくなっても手動給水ポンプ５１で給水を続けることもできる。タンク１１内部には、殺菌部６を設け、事前に殺菌灯６１を取付け定期的に光を照射して、タンク内での菌の増殖を防止しておく。本タンクには付設したフィルターは、除菌するため非常に目の細かな物を使っており、タンク内で菌を増殖させてしまうと、臭いの発生や、フィルター５２の目が菌で詰まってしまい、設定したエアー圧力では、給水できなくなってしまうため重要である。又、臭いのない衛生的な水を常に貯溜していることにもなる。タンク天板に取付けた安全弁４１は、人為的ミスでタンクの内圧が上がりすぎた場合、タンクの内圧を外部に逃がしタンクの損傷を防止する。
【符号の説明】
【００１９】
１    貯水タンク部
１１  タンク本体
１２  受水部
１２１  供給管
２    元弁付常時閉止型通気口部
２１  常時閉止型通気口
２２  通気口元弁
３    エアーボンベを使ったエアー供給部
３１  エアーボンベ
３２  圧力調整器
３３  エアー元弁
３４  エアー逆止弁
３５  手動エアーポンプ
３６  エアー三方
４    安全弁部
４１  安全弁
５    フィルターを備えた給水部
５１  手動給水ポンプ
５２  フィルター
５３  給水配管
５４  蛇口
５５  三方弁
６    殺菌部
６１  殺菌灯
７    消防車接続口
【図１】
2010270512.tif 000003